(57)【要約】【課題】  表示手段を有する装置において、表示部の経時的な変化に対して補正を行い、表示部を初期状態に近い状態に補正する方法を与えること。【解決手段】  初期状態の表示画像と現状態の表示画像を比較することで経時的な変化量を求め、変化量に対して補正を行う。【選択図】  図１
2006109223.tif 000002
【特許請求の範囲】
【請求項１】
表示手段を有する装置において、
通信手段として有線通信させるため、通信ケーブルを接続するための接続部を有し、
外部メモリ等を接続可能なコネクタ、または内部メモリを有し、
前記外部メモリや内部メモリ内の画像・映像を前記表示手段に表示させるための制御手段・画像処理手段を有し、
任意の基準色で塗布された経時的に不変の外部に取り付けられたシートを有し、
任意の撮像装置にて、前記外部シートと前記表示手段に任意の画像を表示させた際に、撮像装置にて算出した画像評価値を有している装置に対して、前記通信ケーブルにて接続可能な撮像装置が存在し、
この撮像装置は、
撮像した静止画像及び或いは動画像を記録媒体に記録及び再生表示する画像処理装置であって、
撮像手段と、記録手段と、制御手段と、表示手段を有し、
通信手段として有線通信させるため、通信ケーブルを接続するための接続部を有し、
制御手段は、前記外部シートと、前記表示装置の表示手段に表示された任意の画像を撮影し、それらの画像評価値を算出することができ、
通信手段は、前記制御手段にて算出された評価値を接続された前記表示手段を有する装置に送信することができ、
前記表示手段を有する装置において、
これらの評価値により、表示部の経時変化量を求める算出手段を有し、
この経時変化量に対して、表示手段の補正を行うことができる、
以上の２つの装置。
【請求項２】
表示手段を有する装置において、
通信手段として無線通信させるため、無線信号を受信するためのアンテナを有し、
外部メモリ等を接続可能なコネクタ、または内部メモリを有し、
前記外部メモリや内部メモリ内の画像・映像を前記表示手段に表示させるための制御手段・画像処理手段を有し、
任意の基準色で塗布された経時的に不変の外部に取り付けられたシートを有し、
任意の撮像装置にて、前記外部シートと前記表示手段に任意の画像を表示させた際に、撮像装置にて算出した画像評価値を有している装置に対して、前記通信ケーブルにて接続可能な撮像装置が存在し、
この撮像装置は、
撮像した静止画像及び或いは動画像を記録媒体に記録及び再生表示する画像処理装置であって、
撮像手段と、記録手段と、制御手段と、表示手段を有し、
通信手段として無線通信させるため、無線信号を受信するためのアンテナを有し、
制御手段は、前記外部シートと、前記表示装置の表示手段に表示された任意の画像を撮影し、それらの画像評価値を算出することができ、
通信手段は、前記制御手段にて算出された評価値を接続された前記表示手段を有する装置に送信することができ、
前記表示手段を有する装置において、
これらの評価値により、表示部の経時変化量を求める算出手段を有し、
この経時変化量に対して、表示手段の補正を行うことができる、
以上の２つの装置。
【発明の詳細な説明】
【技術分野】
【０００１】
本発明は、表示装置において、表示部の経時的な変化に対して補正を行い、表示部を初期状態に近い状態に補正することができる方法を与える。
【背景技術】
【０００２】
近年のモバイル機器には、高性能の表示装置が内蔵されており、テキストデータはもとより、画像・映像も高画質で表示することが可能となっている。PDA・携帯電話などがそうであるが、デジタルカメラ・デジタルビデオカメラ等含めると、手のひらサイズに収まる表示装置を有した機器が数多く存在する。
【０００３】
現在これらの表示媒体として主に用いられているものは、複数個の白色ＬＥＤを有する、一般的にバックライトと呼ばれる光源体と、アクティブマトリックス方式を利用したＴＦＴ液晶パネルを重ねたものである。また、今後導入される表示装置として、蛍光性化合物に電場を加えることで表示媒体自体が発光する有機ＥＬ等がある。
【０００４】
表示媒体は、一般的に寿命があり、使用時間に対してだんだんと色が変化または劣化していく。これを一般的に経時変化（経時劣化）と呼ぶ。モバイル機器等の経時変化の補正機能は現在あるものはない。
【０００５】
表示装置を有する一部の機器では、表示装置の明るさを段階的に調節できるものも存在する（特許文献１参照）。これは、ユーザーが好みの明るさを選択できるよう配慮したものであり、これにより、ユーザーは屋外・屋内等、環境の変化に対して表示装置の明るさを変更可能にしている。しかしこれは前述した経時変化に対する補正というわけではない。
【０００６】
一方、パソコン用モニタ等のカラーマネージメント用のキャリブレーション測定器は、ユーザーのカラーマネージメントだけではなく、モニタの経時変化調整用としても利用することが可能である。これはモニタの付属品としてキャリブレーターと呼ばれるイメージセンサーを有した小型センサーがついており、直接モニタに接続してモニタの輝度・色度調整を行うことができる。またキャリブレーターが専用のソフトウェアとセットになり販売されているものもあり、キャリブレーターをパソコンに接続し、パソコン上からソフトウェアよりモニタに特定の画像を出してキャリブレーターで読み取れることで、ユーザーの好みの色に調整ができ、また経時変化に対する調整も行うことができる。
【０００７】
しかし、このカラーマネージメント用キャリブレーターは、モバイル機器等には対応しておらず、モバイル機器用に発売されているものはない。
【０００８】
また今後あったとしても、このキャリブレーターを携帯しておかなければならず、また、費用もかかる。
【０００９】
さらに、基本的にこのキャリブレーターはほかの使い方ができず、場合によってはほとんど使わないこともある。
【特許文献１】特開２００４−１８６７２１号公報
【発明の開示】
【発明が解決しようとする課題】
【００１０】
このように、現在はモバイル機器等には、表示装置の経時変化に対して補正が出来ず、同じ画像を出していたとしても、初期の画像と異なった画像を見ることになる。今発明では、いわゆるデジタルカメラ等の撮像装置をキャリブレーターとして使用し、表示装置を撮影し、表示装置を有する機器に撮影データを送信し、初期の表示装置の撮影データと比較し、補正することで、容易に経時変化調整を可能とする。
【課題を解決するための手段】
【００１１】
上記課題を解決するために、請求項１記載の発明は、表示手段を有する装置において、
通信手段として有線通信させるため、通信ケーブルを接続するための接続部を有し、
外部メモリ等を接続可能なコネクタ、または内部メモリを有し、
前記外部メモリや内部メモリ内の画像・映像を前記表示手段に表示させるための制御手段・画像処理手段を有し、
任意の基準色で塗布された経時的に不変の外部に取り付けられたシートを有し、
任意の撮像装置にて、前記外部シートと前記表示手段に任意の画像を表示させた際に、撮像装置にて算出した画像評価値を有している装置に対して、前記通信ケーブルにて接続可能な撮像装置が存在し、
この撮像装置は、
撮像した静止画像及び或いは動画像を記録媒体に記録及び再生表示する画像処理装置であって、
撮像手段と、記録手段と、制御手段と、表示手段を有し、
通信手段として有線通信させるため、通信ケーブルを接続するための接続部を有し、
制御手段は、前記外部シートと、前記表示装置の表示手段に表示された任意の画像を撮影し、それらの画像評価値を算出することができ、
通信手段は、前記制御手段にて算出された評価値を接続された前記表示手段を有する装置に送信することができ、
前記表示手段を有する装置において、
これらの評価値により、表示部の経時変化量を求める算出手段を有し、
この経時変化量に対して、表示手段の補正を行うことができる、
以上の２つの装置であることを特徴とする。
【００１２】
また、請求項２に記載の発明は、表示手段を有する装置において、
通信手段として無線通信させるため、無線信号を受信するためのアンテナを有し、
外部メモリ等を接続可能なコネクタ、または内部メモリを有し、
前記外部メモリや内部メモリ内の画像・映像を前記表示手段に表示させるための制御手段・画像処理手段を有し、
任意の基準色で塗布された経時的に不変の外部に取り付けられたシートを有し、
任意の撮像装置にて、前記外部シートと前記表示手段に任意の画像を表示させた際に、撮像装置にて算出した画像評価値を有している装置に対して、前記通信ケーブルにて接続可能な撮像装置が存在し、
この撮像装置は、
撮像した静止画像及び或いは動画像を記録媒体に記録及び再生表示する画像処理装置であって、
撮像手段と、記録手段と、制御手段と、表示手段を有し、
通信手段として無線通信させるため、無線信号を受信するためのアンテナを有し、
制御手段は、前記外部シートと、前記表示装置の表示手段に表示された任意の画像を撮影し、それらの画像評価値を算出することができ、
通信手段は、前記制御手段にて算出された評価値を接続された前記表示手段を有する装置に送信することができ、
前記表示手段を有する装置において、
これらの評価値により、表示部の経時変化量を求める算出手段を有し、
この経時変化量に対して、表示手段の補正を行うことができる、
以上の２つの装置あることを特徴とする。
【発明の効果】
【００１３】
以上の説明から容易に理解できるように、本発明によれば、第１に
表示手段を有する装置において、
通信手段として有線通信させるため、通信ケーブルを接続するための接続部を有し、
外部メモリ等を接続可能なコネクタ、または内部メモリを有し、
前記外部メモリや内部メモリ内の画像・映像を前記表示手段に表示させるための制御手段・画像処理手段を有し、
任意の基準色で塗布された経時的に不変の外部に取り付けられたシートを有し、
任意の撮像装置にて、前記外部シートと前記表示手段に任意の画像を表示させた際に、撮像装置にて算出した画像評価値を有している装置に対して、前記通信ケーブルにて接続可能な撮像装置が存在し、
この撮像装置は、
撮像した静止画像及び或いは動画像を記録媒体に記録及び再生表示する画像処理装置であって、
撮像手段と、記録手段と、制御手段と、表示手段を有し、
通信手段として有線通信させるため、通信ケーブルを接続するための接続部を有し、
制御手段は、前記外部シートと、前記表示装置の表示手段に表示された任意の画像を撮影し、それらの画像評価値を算出することができ、
通信手段は、前記制御手段にて算出された評価値を接続された前記表示手段を有する装置に送信することができ、
前記表示手段を有する装置において
これらの評価値により、表示部の経時変化量を求める算出手段を有し、
この経時変化量に対して、表示手段の補正を行うことができる、
以上の２つの装置であることを提供することが可能となる。
【００１４】
第２に、表示手段を有する装置において、
通信手段として無線通信させるため、無線信号を受信するためのアンテナを有し、
外部メモリ等を接続可能なコネクタ、または内部メモリを有し、
前記外部メモリや内部メモリ内の画像・映像を前記表示手段に表示させるための制御手段・画像処理手段を有し、
任意の基準色で塗布された経時的に不変の外部に取り付けられたシートを有し、
任意の撮像装置にて、前記外部シートと前記表示手段に任意の画像を表示させた際に、撮像装置にて算出した画像評価値を有している装置に対して、前記通信ケーブルにて接続可能な撮像装置が存在し、
この撮像装置は、
撮像した静止画像及び或いは動画像を記録媒体に記録及び再生表示する画像処理装置であって、
撮像手段と、記録手段と、制御手段と、表示手段を有し、
通信手段として無線通信させるため、無線信号を受信するためのアンテナを有し、
制御手段は、前記外部シートと、前記表示装置の表示手段に表示された任意の画像を撮影し、それらの画像評価値を算出することができ、
通信手段は、前記制御手段にて算出された評価値を接続された前記表示手段を有する装置に送信することができ、
前記表示手段を有する装置において、
これらの評価値により、表示部の経時変化量を求める算出手段を有し、
この経時変化量に対して、表示手段の補正を行うことができる、
以上の２つの装置あることを特徴とする。
【発明を実施するための最良の形態】
【００１５】
（第１の実施形態）
以下、図面を参照して本発明の実施形態を説明する。
【００１６】
図１は、表示手段を有する機器の実施形態の構成を示す図である。
【００１７】
図２は、撮像装置を示す実施形態である。
【００１８】
図１において、１００は表示手段を有する画像処理装置である。
【００１９】
１１０はメモリ制御回路であり、画像表示メモリ１１１、Ｄ／Ａ変換器１１２を制御する。
【００２０】
１１１は画像表示メモリ、１１２はＤ／Ａ変換器、１１３はTFT LCD等から成る画像表示部であり、画像表示メモリ１１１に書き込まれた表示用の画像データはＤ／Ａ変換器１１２を介して画像表示部１１３により表示される。
【００２１】
１１４は外部に取り付けられた任意の基準色で塗布された経時的に不変の外部に取り付けられたシートである。これは特にどのような形状でも問題ない。
【００２２】
１２０は１４０や１５０から読み込まれる画像や、内部メモリないに記憶された画像の処理を行う画像処理回路である。
【００２３】
１２１は画像処理装置１００全体を制御するシステム制御回路である。
【００２４】
１３０及び１３２はメモリカードやハードディスク等の記録媒体とのインターフェース、１３１及び１３３はメモリカードやハードディスク等の記録媒体と接続を行うコネクタ、１２２はコネクタ１３１及び或いは１３３に記録媒体１４０或いは１５０が装着されているか否かを検知する記録媒体着脱検知手段である。
【００２５】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００２６】
インターフェース及びコネクタとしては、ＰＣＭＣＩＡカードやＣＦ（コンパクトフラッシュ（登録商標））カード等の規格に準拠したものを用いて構成して構わない。
【００２７】
さらに、インターフェース１３０及び１３２、そしてコネクタ１３１及び１３３をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００２８】
１６０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００２９】
１６１は通信手段１６０により画像処理装置１００を他の機器と接続するコネクタ或いは無線通信の場合はアンテナである。
【００３０】
１７０は電源制御手段で、電池検出回路、ＤＣ-ＤＣコンバータ、通電するブロックを切り替えるスイッチ回路等により構成されており、電池の装着の有無、電池の種類、電池残量の検出を行い、検出結果及びシステム制御回路１２１の指示に基づいてＤＣ-ＤＣコンバータを制御し、必要な電圧を必要な期間、記録媒体を含む各部へ供給する。
【００３１】
１７１はコネクタ、１７２はコネクタ、１７３はアルカリ電池やリチウム電池等の一次電池やNiCd電池やNiMH電池、Li電池等の二次電池、ＡＣアダプター等からなる電源手段である。
【００３２】
図２において、２００は撮影側の画像処理装置である。
【００３３】
２１０は撮影レンズ、２１１は絞り機能を備えるシャッター、２１２は光学像を電気信号に変換する撮像素子、２１３は撮像素子２１２のアナログ信号出力をディジタル信号に変換するＡ／Ｄ変換器である。
【００３４】
２１４は撮像素子２１２、Ａ／Ｄ変換器２１３、Ｄ／Ａ変換器２１８にクロック信号や制御信号を供給するタイミング発生回路であり、メモリ制御回路２１６及びシステム制御回路２４０により制御される。
【００３５】
２１５は画像処理回路であり、Ａ／Ｄ変換器２１３からのデータ或いはメモリ制御回路２１６からのデータに対して所定の画素補間処理や色変換処理を行う。
【００３６】
また、画像処理回路２０においては、撮像した画像データを用いて所定の演算処理を行い、得られた演算結果に基づいてシステム制御回路２４０が露光制御手段２３０、測距制御手段２３１に対して制御を行う、ＴＴＬ（スルー・ザ・レンズ）方式のＡＦ（オートフォーカス）処理、ＡＥ（自動露出）処理を行っている。
【００３７】
さらに、画像処理回路２１５においては、撮像した画像データを用いて所定の演算処理を行い、得られた演算結果に基づいてＴＴＬ方式のＡＷＢ（オートホワイトバランス）処理も行っている。
【００３８】
２１６はメモリ制御回路であり、Ａ／Ｄ変換器２１３、タイミング発生回路２１４、画像処理回路２１５、画像表示メモリ２１７、Ｄ／Ａ変換器２１８、メモリ２２０、圧縮・伸長回路３２を制御する。
【００３９】
Ａ／Ｄ変換器２１３のデータが画像処理回路２１５、メモリ制御回路２１６を介して、或いはＡ／Ｄ変換器２１３のデータが直接メモリ制御回路２１６を介して、画像表示メモリ２１７或いはメモリ２２０に書き込まれる。
【００４０】
２１７は画像表示メモリ、２１８はＤ／Ａ変換器、２１９はTFT LCD等から成る画像表示部であり、画像表示メモリ２１７に書き込まれた表示用の画像データはＤ／Ａ変換器２１８を介して画像表示部２１９により表示される。
【００４１】
画像表示部２１９を用いて撮像した画像データを逐次表示すれば、電子ファインダー機能を実現することが可能である。
【００４２】
２２０は撮影した静止画像や動画像を格納するためのメモリであり、所定枚数の静止画像や所定時間の動画像を格納するのに十分な記憶量を備えている。
【００４３】
また、メモリ２２０はシステム制御回路２４０の作業領域としても使用することが可能である。
【００４４】
２２１は適応離散コサイン変換（ＡＤＣＴ）等により画像データを圧縮伸長する圧縮・伸長回路であり、メモリ２２０に格納された画像を読み込んで圧縮処理或いは伸長処理を行い、処理を終えたデータをメモリ２２０に書き込む。
【００４５】
２３０は絞り機能を備えるシャッター２１１を制御する露光制御手段である。
【００４６】
２３１は撮影レンズ２１０のフォーカシングを制御する測距制御手段、２３２は撮影レンズ２１０のズーミングを制御するズーム制御手段、２３３はバリアである保護手段２９０の動作を制御するバリア制御手段である。
【００４７】
露光制御手段２３０、測距制御手段２３１はＴＴＬ方式を用いて制御されており、撮像した画像データを画像処理回路２１５によって演算した演算結果に基づき、システム制御回路２４０が露光制御手段２３０、測距制御手段２３１に対して制御を行う。
【００４８】
２４０は画像処理装置２００全体を制御するシステム制御回路、２４１はシステム制御回路２４０の動作用の定数、変数、プログラム等を記憶するメモリである。
【００４９】
２４２はシステム制御回路２４０でのプログラムの実行に応じて、文字、画像、音声等を用いて動作状態やメッセージ等を表示する液晶表示装置、スピーカー等の表示部であり、画像処理装置２００の操作部近辺の視認し易い位置に単数或いは複数個所設置され、例えばＬＣＤやＬＥＤ、発音素子等の組み合わせにより構成されている。
【００５０】
表示部２４２の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２７０及び２８０の着脱状態表示、通信I/F動作表示、日付・時刻表示、等がある。
【００５１】
２４３は電気的に消去・記録可能な不揮発性メモリであり、例えばEEPROM等が用いられる。
【００５２】
２５０、２５１、２５２、２５３、２５４及び２５５は、システム制御回路２４０の各種の動作指示を入力するための操作手段であり、スイッチやダイアル、タッチパネル、視線検知によるポインティング、音声認識装置等の単数或いは複数の組み合わせで構成される。
【００５３】
ここで、これらの操作手段の具体的な説明を行う。
【００５４】
２５０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。２５１はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５５】
２５２はシャッタースイッチＳＷ２で、不図示のシャッターボタンの操作完了でＯＮとなり、撮像素子２１２から読み出した信号をＡ／Ｄ変換器２１３、メモリ制御回路２１６を介してメモリ２２０に画像データを書き込む露光処理、画像処理回路２１５やメモリ制御回路２１６での演算を用いた現像処理、メモリ２２０から画像データを読み出し、圧縮・伸長回路２２１で圧縮を行い、記録媒体２７０或いは２８０に画像データを書き込む記録処理という一連の処理の動作開始を指示する。
【００５６】
２５３は画像表示ＯＮ／ＯＦＦスイッチで、画像表示部２１９のＯＮ／ＯＦＦを設定することが出来る。
【００５７】
２５４は経時変化調整のための撮影モードボタンであり、モード切り替えを行う。ここで、経時変化調整撮影モードは特に２５０のモードダイアルスイッチの中に加えてもよい。
【００５８】
２５５は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００５９】
２６０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路２４０の指示に基づいてＤＣ−ＤＣコンバータを制御し、必要な電圧を必要な期間、記録媒体を含む各部へ供給する。
【００６０】
２６１はコネクタ、２６２はコネクタ、２６３はアルカリ電池やリチウム電池等の一次電池やNiCd電池やNiMH電池、Li電池等の二次電池、ＡＣアダプター等からなる電源手段である。
【００６１】
２７０及び２８０はメモリカードやハードディスク等の記録媒体とのインターフェース、２６５及び２６７はメモリカードやハードディスク等の記録媒体と接続を行うコネクタ、２６８コネクタ２６５及び或いは２６７に記録媒体２７０或いは２８０が装着されているか否かを検知する記録媒体着脱検知手段である。
【００６２】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００６３】
インターフェース及びコネクタとしては、ＰＣＭＣＩＡカードやＣＦ（コンパクトフラッシュ（登録商標））カード等の規格に準拠したものを用いて構成して構わない。
【００６４】
さらに、インターフェース２６４及び２６６、そしてコネクタ２６５及び２６７をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６５】
２９０は、画像処理装置２００のレンズ２１０を含む撮像部を覆う事により、撮像部の汚れや破損を防止するバリアである保護手段である。
【００６６】
２９１は光学ファインダーであり、画像表示部２１９による電子ファインダー機能を使用すること無しに、光学ファインダーのみを用いて撮影を行うことが可能である。
【００６７】
２９２は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６８】
２９３は通信手段２９２により画像処理装置２００を他の機器と接続するコネクタ或いは無線通信の場合はアンテナである。
【００６９】
２７０はメモリカードやハードディスク等の記録媒体である。
【００７０】
記録媒体２７０は、半導体メモリや磁気ディスク等から構成される記録部２７１、画像処理装置２００とのインターフェース２７２、画像処理装置２００と接続を行うコネクタ２７３を備えている。
【００７１】
２８０はメモリカードやハードディスク等の記録媒体である。
【００７２】
記録媒体２８０は、半導体メモリや磁気ディスク等から構成される記録部２８１、画像処理装置２００とのインターフェース２８２、画像処理装置２００と接続を行うコネクタ２８３を備えている。
【００７３】
図３を参照して、第１の実施形態の動作を説明する。
【００７４】
図３は本実施形態の画像処理装置１００の主ルーチンのフローチャートを示す。
【００７５】
図２乃至図４を用いて、画像処理装置１００の動作を説明する。
【００７６】
図４の３０１は図１で示した表示手段を有する機器であり、３０２は図２で示した撮像装置、３０５はここでは有線による通信ケーブルを示す。この有線ケーブルは、ＵＳＢやＩＥＥＥ１３９４であっても構わない。表示手段を有する機器３０１は任意の基準色で塗布された、経時的に不変の外部に取り付けられたシート３０３、表示装置３０４を有する。このシート３０３は表示機器３０１に収納可能であたり、取り外し可能であったりしても問題はない。
【００７７】
この表示機器３０１は、工場出荷時など、確認検査等の工程で撮像装置により、シート３０３、表示装置３０４が撮影され、その色画像データの評価値が画像処理回路１２０の内部メモリに記憶されている。この際、表示装置には任意の画像が表示されているものとするが、今実施形態においては、白５０％の画像が表示され、またシート３０３は白５０％画像に近い色にて塗布されているものとする。
【００７８】
電源投入により、３０１、３０２は制御装置等の初期化を行い、スタンバイ状態であるとする（Ｓ１０１）。
【００７９】
３０４に示した有線ケーブルにより３０１、３０２が接続されると（Ｓ１０２）、３０２は撮影状態となり、露光制御回路２３０、測距制御回路２３１、ズーム制御回路２３２は所定の挙動を行い、撮影のための諸設定を行う（Ｓ１０３）。
【００８０】
一方で３０１は白５０％の画像を画像装置３０４に表示させる（Ｓ１０４）。
【００８１】
この際、ＩＥＥＥ１３９４では撮像装置３０２でもホストとして作用させることができるため、３０１より画像表示の指示を行うことができる。
【００８２】
一方ＵＳＢの場合は、ＵＳＢ規格の補足仕様として、周辺機器間を接続するための規格であるＵＳＢ  ＯＴＧ（On The Go）が策定されている。このＯＴＧによればＵＳＢ規格においてはスレーブとしてのみ機能していた周辺機器に、ホストとしての機能を持たせることにより、周辺機器同士を直接接続して通信を行うことが可能となっている。よってＵＳＢの場合でもＯＴＧを利用することで３０２側から３０１側に画像の表示の指示を出すことも可能である。
【００８３】
ユーザーは撮像装置３０２で、まず基準色となるシート３０３を撮影し（Ｓ１０５）、一連の画像処理を行った後（Ｓ１０６）、撮像装置３０２により３０４の画像を撮影する（Ｓ１０７）。そして、表示機器３０１にこれら２つの画像を送信する（Ｓ１０８）。
【００８４】
画像より求められる任意の評価値をα、βとする。
【００８５】
このα、βには、例えばホワイトバランスによる撮像素子のＲ／Ｇ、Ｂ／Ｇ等の感度差等が挙げられる。
【００８６】
工場出荷時に撮影した画像に対して、
シート３０３撮影の画像からの評価値：  α１
表示装置３０４撮影の画像からの評価値：  β１
より、β１／α１を求める。
【００８７】
また今回撮影した画像の
シート３０３撮影の画像からの評価値：  α２
表示装置３０４撮影の画像からの評価値：  β２
よりβ２／α２を求める。
【００８８】
もし今回撮影した表示機器の表示媒体に経時変化がない場合、画像の変化がないため、撮像装置のホワイトバランスによる相違だけなので、この相対値β１／α１とβ２／α２は同じ値となる。つまり、β１／α１とβ２／α２が異なり、特定の値以上の差となれば、表示装置３０４は経時変化を起こしているので、図１のＤ／Ａ１１２の出力設定値を変えてやればよい。
【図面の簡単な説明】
【００８９】
【図１】本実施形態の表示手段を有する機器の一実施形態の構成ブロック図である。
【図２】本実施形態の撮像装置の一実施形態の構成ブロック図である。
【図３】本実施形態の主ルーチンのフローチャートである。
【図４】本実施形態の、表示手段を有する機器と撮像装置を通信手段で接続させた図である。
【図１】
2006109223.tif 000003
【図２】
2006109223.tif 000004
【図３】
2006109223.tif 000005
【図４】
2006109223.tif 000006